(57)【要約】乗場表示装置をモダニゼーションする際、押ボタン、表示器等の形状、個数が変わるので、これらの機器に繋がれたケーブルの数も多くなる場合がある。この場合、ケーブル数に応じて、ケーブルを通すための穴を現場にて追加工する必要があり作業が煩雑である。本発明は、中央に開口を有する枠体を乗場壁に固定し、操作機器を有する表板を枠体の乗場側の開口を塞いで固定している。そして、ケーブルを通すための穴を空けた裏板を、昇降路側の開口を塞いで着脱可能に固定している。
2019155598.tif 000002
【特許請求の範囲】
【請求項１】
一対の側板と前記側板の端部をそれぞれ繋ぐ上下板とで構成され、乗場壁に固定される枠体と、
操作機器を有し、前記枠体の乗場側を塞いで前記枠体に固定される表板と、
前記操作機器のケーブルを昇降路側に通す配線孔を有し、前記枠体の昇降路側を塞いで前記枠体に着脱可能に固定される裏板と、
を備えたことを特徴とするエレベータの乗場操作盤。
【請求項２】
前記裏板は、前記枠体に昇降路方向の位置調整可能に固定される、
ことを特徴とする請求項１に記載のエレベータの乗場操作盤。
【請求項３】
前記裏板は、前記上下板に固定される固定部と、前記固定部を繋ぐ裏面板とを有する断面コ字状に形成されている、
ことを特徴とする請求項２に記載のエレベータの乗場操作盤。
【発明の詳細な説明】
【技術分野】
【０００１】
この発明は、乗場に備えられるエレベータの乗場操作盤に関する。
【背景技術】
【０００２】
乗場操作盤は、前面に開口を有するボックスが建物壁に溶接等で固定されている。ボックスの開口には、エレベータの呼びボタン、かご位置表示灯、運転方向灯が設けられたカバープレートが設けられている。そして、ボックスの裏面には、呼びボタン等のケーブルを昇降路側に通すための配線孔が設けられている。配線孔を通したケーブルは、クランプにより、ボックス裏面に沿って下方に向けて固定されている。(特許文献１)。
【先行技術文献】
【特許文献】
【０００３】
【特許文献１】特開平３−４２４８１  (第２図)
【発明の概要】
【発明が解決しようとする課題】
【０００４】
上記先行技術によれば、ケーブルは昇降路側にはみ出し難く、また、省スペースで配線できるので、近年薄くなる傾向の建築壁にも対応し易い。しかしながら、裏面に設けられた配線孔は、最初に設けられた機器のケーブルを通す為の大きさで設けられている。【０００５】
乗場操作盤のモダニゼーションを行う際、新しい機器のレイアウトによってケーブルが増える場合がある。増えたケーブルを通すために、ボックスの裏面に設けた配線孔を大きくする必要がある。しかし、ボックスが建築壁に固定された状態で行う必要があるので、現地での作業は煩雑である。【０００６】
この発明は上記課題を解決するためになされたもので、モダニゼーションの際に使用する機器のケーブルが増えても配線を容易に行うことができる乗場操作盤を供給することを目的とする。
【課題を解決するための手段】
【０００７】
この発明に係るエレベータの乗場操作盤は、一対の側板と前記側板の端部をそれぞれ繋ぐ上下板とで構成され、乗場壁に固定される枠体と、操作機器を有し、前記枠体の乗場側を塞いで前記枠体に固定される表板と、前記操作機器のケーブルを昇降路側に通す配線孔を有し、前記枠体の昇降路側を塞いで前記枠体に着脱可能に固定される裏板と、を備えている。
【発明の効果】
【０００８】
この発明によれば、使用する機器が増えてケーブルの数が増えても、ケーブルを通す最適な大きさの配線孔を有する裏板を交換して設けることができる。または、裏板を取り外して配線孔の大きさを簡単に調整することができる。これにより、モダニゼーションを容易に行うことができる。
【図面の簡単な説明】
【０００９】
【図１】この発明の実施の形態１の乗場操作盤を配置した乗場図である。
【図２】乗場操作盤を表す図である。
【図３】乗場操作盤の裏板を表す図である。
【図４】図１における乗場操作盤の断面を表す図である。
【図５】建築壁厚が薄い場合の乗場操作盤の断面を表す図である。
【発明を実施するための形態】
【００１０】
以下、この発明の詳細について、上記図面を用いて説明する。
【００１１】
実施の形態１
図１〜図５は、この発明の実施の形態１を説明する図である。なお、図中同一符号は同一部品を示し、設明を省略する。
図１に、この発明の乗場操作盤を配置した乗場図を示している。乗場３の乗場壁である建築壁１にエレベータの出入口２が設けられている。また、出入口２の脇の建築壁１に、エレベータの呼び、運行状態の表示等を行う乗場操作盤４が設けられている。なお、昇降路は出入口２の向こう側にあり、エレベータのカゴが走行する。（いずれも図示していない。）
【００１２】
図２に乗場操作盤４を示している。乗場操作盤４は、枠体６と表板５と裏板７とで構成されている。枠体６は、一対の側板６ｂの上部と下部の端部をそれぞれ上下板６ａで繋いでおり、中央に開口６ｃを有する。また、枠体６は建築壁１に溶接等で固定される。建築壁１には昇降路まで貫通しているか、あるいは一部が貫通している開口が設けられていて、枠体６はこの開口に固定される。表板５は、操作機器１０を備え、枠体６の開口６ｃの乗場側を塞いで枠体６に固定される。裏板７は、開口６ｃの昇降路側を塞いで枠体６に固定される。なお、操作機器１０は、枠体６内に配設されている場合もある。
【００１３】
表板５を枠体６に固定する際に、表板５に備えられた操作機器１０のケーブル８は枠体６の開口６ｃを通される。また、ケーブル８は、枠体６に固定された裏板７の配線孔７ｄを通して昇降路側に配線される。
【００１４】
図３に乗場操作盤４の裏板７を示している。裏板７は、裏面板７ａの上下方向の端部に固定部である上面板７ｂと下面板７ｃが配設され、断面がコ字状に形成されている。裏面板７ａには、操作機器１０のケーブル８を通す配線孔７ｄが配設されている。上面板７ｂと下面板７ｃには、枠体６に固定する際にボルトを通す為の孔７ｅと孔７ｆが設けられている。孔７ｅと孔７ｆはそれぞれ一対ずつ上面板７ｂと下面板７ｃに設けられている。孔７ｅは上面板７ｂと下面板７ｃの端部側、孔７ｆは裏面板７ａ側に設けられている。
【００１５】
図４に乗場操作盤４の断面を示している。図において、建築壁１の左側が乗場であり、右側が昇降路である。建築壁１に固定された枠体６に表板５が溶接等で固定されている。この発明の実施の形態では、表板５の外形は枠体６より大きいので、表板５の外側が建築壁１に掛かっている。
【００１６】
裏板７はボルト１１により枠体６に固定されている。裏板７は枠体６に昇降路側の端面６ｄと面一に固定されている。ボルト１１は、上面板７ｂと下面板７ｃの孔７ｅを挿通し、枠体６に設けられたネジ穴に締結されて、裏板７を枠体６に固定する。裏板７には操作機器１０のケーブル８が通されている。そして、ケーブル８はクランプ９により裏板７に沿うように昇降路側から固定されている。
【００１７】
＜建築壁厚が薄い場合＞
上記は通常のモダニゼーションの場合だが、近年、建築壁厚が薄くなる傾向があり、外部配線を含めて乗場操作盤の厚みの削減が求められている。
次に建築壁厚が薄い場合の説明を行う。
図５は、建築壁厚が薄い場合の乗場操作盤４の断面を表す図である。裏板７は、ボルト１１が上面板７ｂと下面板７ｃの孔７ｆを挿通され、枠体６に設けられたネジ穴に締結されて枠体６に固定される。そして、図に示すように、裏板７は枠体６に昇降路側の端面６ｄより内側に配置されている。操作機器１０のケーブル８はクランプ９により裏板７に固定されるが、クランプ９が枠体６の昇降路側の端面６ｄより内側に配置されている。
【００１８】
上記より、裏板７は枠体６に前後方向の位置調整可能に設けられていると言える。しかし、上面板７ｂと下面板７ｃの孔は、孔７ｅと孔７ｆとを繋いで長穴としてもよい。この場合も、裏板７は前後方向に任意の位置でボルト１１により枠体６に固定できる。
【００１９】
上記実施の形態１により、以下の効果を得ることができる。
乗場壁１に固定される枠体６と、操作機器１０を有し、枠体６の乗場側を塞いで枠体６に固定される表板５と、操作機器１０のケーブル８を昇降路側に通す配線孔７ａを有し、枠体６の昇降路側を塞いで枠体６に着脱可能に固定される裏板７とを備えているので、モダニゼーションを行う際、操作機器１０のケーブル８が増えても、適した大きさの配線孔７ｄを備えた裏板７を用意して交換すればよい。または、裏板７を取外し、配線孔７ｄの大きさを調整すればよい。これにより、ケーブル８が増えても配線作業を容易に行うことができる。すなわち、モダニゼーションを容易に行うことができる。
【００２０】
また、裏板７は、枠体６に昇降路方向の位置調整可能に固定されるので、裏板７を枠体６の昇降路側の端面より内側に配置させることができる。これにより、操作機器１０のケーブル８が多い場合も枠体６から昇降路側にはみ出す量を少なくすることができる。
【００２１】
さらに、裏板７は、上下に固定部を有する断面コ字状に形成されているので、簡単な構成で枠体６の昇降路方向に位置調整することができる。
【符号の説明】
【００２２】
４  乗場操作盤、  ５  表板、  ６  枠体、  ６ａ  上下板、  ６ｂ  側板、  ６ｃ  開口、  ６ｄ  端部、  ７  裏板、  ７ａ  裏面板、  ７ｂ  上面板、  ７ｃ  下面板、  ７ｅ・７ｆ  孔、  ７ｄ  配線孔、  ８  ケーブル，  ９  クランプ、  １０  操作機器、  １１  ボルト。
【図１】
2019155598.tif 000003
【図２】
2019155598.tif 000004
【図３】
2019155598.tif 000005
【図４】
2019155598.tif 000006
【図５】
2019155598.tif 000007
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
一対の側板と前記側板の端部をそれぞれ繋ぐ上下板とで開口を形成して構成され、乗場壁に固定される枠体と、
操作機器を有し、前記枠体の前記開口の乗場側を塞いで前記枠体に固定される表板と、
前記操作機器のケーブルを昇降路側に通す配線孔を有し、前記枠体の前記開口の昇降路側を塞いで前記枠体に着脱可能に固定される裏板と、
を備えたことを特徴とするエレベータの乗場操作盤。
【請求項２】
前記裏板は、前記枠体に前後方向の位置調整可能に固定される、
ことを特徴とする請求項１に記載のエレベータの乗場操作盤。
【請求項３】
前記裏板は、前記上下板に固定される固定部と、前記固定部を繋ぐ裏面板とを有する断面コ字状に形成されている、
ことを特徴とする請求項２に記載のエレベータの乗場操作盤。
【手続補正２】
【補正対象書類名】明細書
【補正対象項目名】０００７
【補正方法】変更
【補正の内容】
【０００７】
この発明に係るエレベータの乗場操作盤は、一対の側板と前記側板の端部をそれぞれ繋ぐ上下板とで開口を形成して構成され、乗場壁に固定される枠体と、操作機器を有し、前記枠体の前記開口の乗場側を塞いで前記枠体に固定される表板と、前記操作機器のケーブルを昇降路側に通す配線孔を有し、前記枠体の前記開口の昇降路側を塞いで前記枠体に着脱可能に固定される裏板と、を備えている。
【国際調査報告】
2019155598.tif 000008
2019155598.tif 000009
2019155598.tif 000010
2019155598.tif 000011